(57)【特許請求の範囲】
【請求項１】
吊り部材によって支持された天井下地に天井板が取り付けられた第１天井構造部と、上記天井板よりも単位面積当たりの質量が軽くされた軽量天井板を、上記吊り部材よりも短い短吊り部材によって支持される変形可能な変形吊り部材または天井に直接支持される変形可能な変形吊り部材で吊るした第２天井構造部とを備えており、上記変形吊り部材の変形によって上記軽量天井板を持ち上げることが可能とされ、上記第２天井構造部の一部が天井裏点検のための点検口部となることを特徴とする天井構造。
【請求項２】
吊り部材によって支持された天井下地に天井板が取り付けられた第１天井構造部と、上記天井板よりも単位面積当たりの質量が軽くされた軽量天井板を、上記吊り部材よりも短い短吊り部材によって支持される変形可能な変形吊り部材または天井に直接支持される変形可能な変形吊り部材で吊るした第２天井構造部とを備えており、上記第２天井構造部が、壁際、柱際および空調機際の少なくとも一つに設けられていることを特徴とする天井構造。
【請求項３】
吊り部材によって支持された天井下地に天井板が取り付けられた第１天井構造部と、上記天井板よりも単位面積当たりの質量が軽くされた軽量天井板を、上記吊り部材よりも短い短吊り部材によって支持される変形可能な変形吊り部材または天井に直接支持される変形可能な変形吊り部材で吊るした第２天井構造部とを備えており、上記第２天井構造部における上記変形吊り部材は、上記短吊り部材に支持された天井下地によって支持されていることを特徴とする天井構造。
【請求項４】
吊り部材によって支持された天井下地に天井板が取り付けられた第１天井構造部と、上記天井板よりも単位面積当たりの質量が軽くされた軽量天井板を、上記吊り部材よりも短い短吊り部材によって支持される変形可能な変形吊り部材または天井に直接支持される変形可能な変形吊り部材で吊るした第２天井構造部とを備えており、揺れによって上記第１天井構造部の吊り部材または天井下地に当たる可能性のある上記第２天井構造部の箇所では、当該第２天井構造部の野縁が設けられずに野縁受けによって上記変形吊り部材が支持されるか、または変形可能な野縁によって上記変形吊り部材が支持されることを特徴とする天井構造。
【請求項５】
吊り部材によって支持された天井下地に天井板が取り付けられた第１天井構造部と、上記天井板よりも単位面積当たりの質量が軽くされた軽量天井板を、上記吊り部材よりも短い短吊り部材によって支持される変形可能な変形吊り部材または天井に直接支持される変形可能な変形吊り部材で吊るした第２天井構造部とを備えており、上記第２天井構造部における上記変形吊り部材は、上記短吊り部材に直接に支持されていることを特徴とする天井構造。
【請求項６】
請求項１〜請求項５のいずれか１項に記載の天井構造において、上記軽量天井板は変形または破損によって衝撃を吸収することを特徴とする天井構造。
【請求項７】
吊り部材によって支持された天井下地に天井板が取り付けられた天井構造の一部を第１天井構造部として残し、他の部分を第２天井構造部に改修する天井改修方法であり、上記第２天井構造部では、上記吊り部材の下端側を切断して短くするか、または上記吊り部材よりも短い短吊り部材に交換し、上記天井板よりも単位面積当たりの質量が軽くされた軽量天井板を、上記短くされた吊り部材または上記短吊り部材に支持される、変形可能な変形吊り部材によって吊るすことを特徴とする天井改修方法。
【請求項８】
請求項７に記載の天井改修方法において、上記短くされた吊り部材または上記短吊り部材に、元の天井下地を取り付け、この天井下地に上記変形吊り部材を取り付けることを特徴とする天井改修方法。
【請求項９】
吊り部材によって支持された天井下地に天井板が取り付けられた天井構造の一部を第１天井構造部として残し、他の部分を第２天井構造部に改修する天井改修方法であり、上記第２天井構造部では、上記吊り部材を取外して天井に直接に変形可能な変形吊り部材を取り付け、上記天井板よりも単位面積当たりの質量が軽くされた軽量天井板を、上記変形吊り部材によって吊るすことを特徴とする天井改修方法。
【請求項１０】
請求項７〜請求項９のいずれか１項に記載の天井改修方法において、上記第２天井構造部を、壁際、柱際および空調機際の少なくとも一つに設けることを特徴とする天井改修方法。
【発明の詳細な説明】
【技術分野】
【０００１】
この発明は、天井揺れ対策が施された天井構造および天井改修方法に関する。
【背景技術】
【０００２】
特許文献１には、吊り天井の揺れに対する動きが妨げられず、破損、破壊による吊り天井の落下を防止する天井構造が開示されている。この天井構造は、第１の吊り天井と、上記第１の吊り天井よりも低い位置に配置される第２の吊り天井とを備える。上記第１の吊り天井および上記第２の吊り天井は、天井スラブに予め適宜間隔で取り付けられている吊りボルトに支持金具を介して固着される野縁受け材と、上記野縁受け材に直交する方向に固定される野縁材と、上記野縁材の下面に取り付けられる天井材とを備え、上記第１の吊り天井と上記第２の吊り天井との間に塞ぎ手段を設けている。
【先行技術文献】
【特許文献】
【０００３】
【特許文献１】特開２０１４−２０１８６号公報
【発明の概要】
【発明が解決しようとする課題】
【０００４】
しかしながら、上記従来の天井構造では、上記第１の吊り天井と、上記第２の吊り天井における天井板の高さに相違が生じるという欠点がある。なお、壁際などの天井板を軽量部材で形成し、この天井板を壁に片持ちで固定することも考えられるが、このような片持ちの支持構造では、軽量部材からなる天井板を例えば９１０ｍｍ四方といった大きな形状とすることは困難である。
【０００５】
この発明は、上記の事情に鑑み、地震時の揺れなどで天井が脱落するのを抑制できるとともに、異なる構造の第１天井構造部と第２天井構造部とで天井高さを等しくすることが可能であり、しかも天井板を壁に片持ちで支持しないことで大きな天井板を用いることができる天井構造および天井改修方法を提供することを課題とする。
【課題を解決するための手段】
【０００６】
この発明の天井構造は、上記の課題を解決するために、吊り部材によって支持された天井下地に天井板が取り付けられた第１天井構造部と、上記天井板よりも単位面積当たりの質量が軽くされた軽量天井板を、上記吊り部材よりも短い短吊り部材によって支持される変形可能な変形吊り部材または天井に直接支持される変形可能な変形吊り部材で吊るした第２天井構造部とを備えることを特徴とする。
【０００７】
上記の構成であれば、上記天井板よりも単位面積当たりの質量が軽くされた軽量天井板を備える第２天井構造部を有するので、天井全体を第１天井構造部のみで構成する場合に比べて天井質量の軽量化が図られることになり、地震時に天井に作用する力が軽減され、地震の揺れによる衝撃も軽減される。また、上記軽量天井板を、上記吊り部材よりも短い短吊り部材に支持されている変形可能な変形吊り部材または天井に直接支持される変形可能な変形吊り部材で吊るので、上記第１天井構造部の天井板と上記第２天井構造部の軽量天井板を面一に配置することが可能である。また、上記軽量天井板が変形可能な変形吊り部材で吊られるので、地震時の揺れで上記軽量天井板が上記第１天井構造部の天井板に当たることがあっても、当該天井板を破損させにくい。また、このため、上記軽量天井板と上記天井板との間にクリアランスを設けることを不要にし得る。しかも、上記第２天井構造部において、上記軽量天井板は吊られる構造であるので、上記軽量天井板として大きな形状のものを利用することができる。
【０００８】
上記軽量天井板は変形または破損によって衝撃を吸収するものでもよい。これによれば、地震時に上記軽量天井板が上記第１天井構造部の天井板に当たることがあっても、上記軽量天井板が変形または破損するので、上記天井板を破損させにくい利点が得られる。上記軽量天井板が、例えば、バルサ材などの軽量材であれば、破損落下による悪影響は石こうボードなどに比べると相当に小さい。
【０００９】
上記変形吊り部材の変形によって上記軽量天井板を持ち上げることが可能とされ、上記第２天井構造部の一部が天井裏点検のための点検口部となるようにしてもよい。これによれば、比較的安価に点検口を作製でき、さらに、天井裏部分を広範囲に渡って容易に点検できる。
【００１０】
上記第２天井構造部が、壁際、柱際および空調機際の少なくとも一つに設けられていてもよい。
【００１１】
上記第２天井構造部における上記変形吊り部材は、上記短吊り部材に支持された天井下地によって支持されていてもよい。上記第２天井構造部に設けられる上記天井下地は上記第１天井構造部に設けられる天井下地に比べて高い位置に存在することになり、地震で揺れが生じても、上記第１天井構造部の天井下地と上記第２天井構造部の天井下地との衝突を回避しやすい。
【００１２】
或いは、揺れによって上記第１天井構造部の吊り部材または天井下地に当たる可能性のある上記第２天井構造部の箇所では、当該第２天井構造部の野縁が設けられずに野縁受けによって上記変形吊り部材が支持されるか、または変形可能な野縁によって上記変形吊り部材が支持されてもよい。これによれば、第２天井構造部における野縁が第１天井構造部における野縁受けなどに当たるのを回避できる。或いは、当たったとしても、上記野縁が変形可能であれば、第１天井構造部における野縁受けなどを破損させることがない。
【００１３】
或いは、上記第２天井構造部における上記変形吊り部材は、上記短吊り部材に直接に支持されていてもよい。上記第２天井構造部における軽量天井板は軽量であるので、天井下地を用いなくても、上記軽量天井板を吊ることができる。このように天井下地を不要にできると、部材コストおよび施工コストを低減することができる。
【００１４】
また、この発明の天井改修方法は、吊り部材によって支持された天井下地に天井板が取り付けられた天井構造の一部を第１天井構造部として残し、他の部分を第２天井構造部に改修する天井改修方法であり、上記第２天井構造部では、上記吊り部材の下端側を切断して短くするか、または上記吊り部材よりも短い短吊り部材に交換し、上記天井板よりも単位面積当たりの質量が軽くされた軽量天井板を、上記短くされた吊り部材または上記短吊り部材に支持される、変形可能な変形吊り部材によって吊るすことを特徴とする。
【００１５】
上記の天井改修方法であれば、既存の吊り部材を利用するので、新たに吊り部材を天井スラブなどに取り付ける作業が不要になる。また、上記吊り部材よりも短い短吊り部材に交換する場合も、天井スラブなどに埋設されたインサートなどの利用が可能であるので、地震対策が採られた天井構造とする改修が安価に行える。
【００１６】
上記短くされた吊り部材または上記短吊り部材に、元の天井下地を取り付け、この天井下地に上記変形吊り部材を取り付けてもよい。これによれば、元の天井下地を利用するので、さらに改修が安価に行える。
【００１７】
また、この発明の天井改修方法は、吊り部材によって支持された天井下地に天井板が取り付けられた天井構造の一部を第１天井構造部として残し、他の部分を第２天井構造部に改修する天井改修方法であり、上記第２天井構造部では、上記吊り部材を取外して天井に直接に変形可能な変形吊り部材を取り付け、上記天井板よりも単位面積当たりの質量が軽くされた軽量天井板を、上記変形吊り部材によって吊るすことを特徴とする。
【００１８】
上記の天井改修方法であれば、天井スラブなどに埋設されたインサートなどを利用して上記変形吊り部材を取り付けるので、地震対策が採られた天井構造とする改修が安価に行える。
【００１９】
上記第２天井構造部を、壁際、柱際および空調機際の少なくとも一つに設けてもよい。
【発明の効果】
【００２０】
本発明であれば、地震時の揺れなどで天井が脱落するのを抑制できるとともに、第１天井構造部と第２天井構造部との天井高さを等しくすることが可能であり、しかも大きな形状の天井板を用いることができる。また、本発明の天井改修方法であれば、地震対策が採られた天井構造とする改修が安価に行えるという効果を奏する。
【図面の簡単な説明】
【００２１】
【図１】この発明の実施形態の天井構造を示した説明図である。
【図２】図１の天井構造で地震などの揺れが生じた状態を示した説明図である。
【図３】図１の天井構造における点検口としての利用を示した説明図である。
【図４】この発明の他の実施形態の天井構造を示した説明図である。
【図５】この発明の実施形態の天井構造における第１天井構造部と第２天井構造部の配置例を示した説明図（天井伏図）である。
【図６】この発明の実施形態の天井構造における第１天井構造部の天井下地と第２天井構造部の天井下地の例を示した説明図である。
【図７】この発明の実施形態の天井構造における第１天井構造部の天井板の端と第２天井構造部の軽量天井板の端の接続例を示した説明図である。
【図８】この発明の実施形態の天井改修方法を示した説明図である。
【発明を実施するための形態】
【００２２】
以下、この発明の実施の形態を添付図面に基づいて説明する。
図１に示すように、この発明の実施形態の天井構造は、第１天井構造部１と、第２天井構造部２とを備えている。
【００２３】
上記第１天井構造部１においては、天井スラブに取り付けられた吊りボルト（吊り部材）１１に、天井下地１２となる野縁受け１２ａが支持されており、上記野縁受け１２ａに天井下地１２となる野縁１２ｂが取り付けられている。そして、上記野縁１２ｂの下面に天井板（化粧石こうボードなど）１３が取り付けられている。各天井板１３の大きさは、例えば９１０ｍｍ四方の正方形とされる。
【００２４】
上記第２天井構造部２においては、天井スラブに取り付けられた短吊りボルト（短吊り部材）２１に、天井下地２２となる野縁受け２２ａが支持されており、上記野縁受け２２ａに天井下地２２となる野縁２２ｂが取り付けられている。上記短吊りボルト２１は、上記吊りボルト１１よりも短く、例えば、上記天井下地２２が上記第１天井構造部１の天井下地１２よりも上側に位置するようにしてある。そして、上記野縁２２ｂには、変形可能なワイヤー（変形吊り部材）２４が垂下されている。ワイヤーに限らず、変形吊り部材としてチェーンを用いることもできる。また、軽量天井板２３の裏面には例えばフック２３ａが取り付けられている。上記ワイヤー２４に上記フック２３ａが引っ掛けられることで、上記軽量天井板２３が吊り下げられる。各軽量天井板２３の大きさは、例えば９１０ｍｍ四方の正方形とされる。上記軽量天井板２３は、上記天井板１３と面一とされる。図１では、上記軽量天井板２３と上記天井板１３との間にはクリアランスを設けていないが、クリアランスを設けるようにしてもよい。上記野縁受け２２ａの端は、ビスなどを用いる固定金具２５によって壁６の天井裏箇所に固定されている。また、上記壁６には、Ｌ字形状の見切り２６が取り付けられており、上記軽量天井板２３の壁側縁が隠されるようにしている。
【００２５】
上記軽量天井板２３は、上記天井板１３よりも単位面積当たりの質量が軽くされた面材からなる。上記軽量天井板２３としては、スポンジ板、発泡スチロール板、バルサ材などを用いることができる。上記スポンジや発泡スチロールは、柔軟性を有しており、変形によって衝撃を吸収することが可能である。また、上記バルサ材は、破損することによって衝撃を吸収することができる。なお、比較的堅い木製などの板部材に切れ目を入れることで、当該板部材に衝撃吸収性を持たせることもできる。また、木製などの枠材に布などの膜材を貼り付けたものを上記軽量天井板２３として用いることもできる。
【００２６】
上記の構成であれば、上記天井板１３よりも単位面積当たりの質量が軽くされた上記軽量天井板２３を備える第２天井構造部２を有するので、天井全体を第１天井構造部１のみで構成する場合に比べ、天井質量の軽量化が図られることになり、地震時に天井に作用する力が軽減され、地震の揺れによる衝撃も軽減される。また、上記軽量天井板２３を、上記吊りボルト１１よりも短い短吊りボルト２１に支持されている変形可能な上記ワイヤー２４で吊るので、上述のように、上記第１天井構造部１の天井板１３と上記第２天井構造部２の軽量天井板２３を面一に配置することが可能になる。
【００２７】
また、上記軽量天井板２３が上記ワイヤー２４で吊られるので、地震時に上記軽量天井板２３が上記第１天井構造部１の天井板１３に当たることがあっても、当該天井板１３を破損させにくい。また、これにより、上述したように、上記軽量天井板２３と上記天井板１３との間にクリアランスを設けることを不要にし得る。しかも、上記第２天井構造部２において、上記軽量天井板２３は吊られる構造であるので、上記軽量天井板２３として大きな形状のものを利用することができる。
【００２８】
また、上記軽量天井板２３が変形または破損によって衝撃を吸収するものであると、図２に示すように、地震時に上記軽量天井板２３が上記第１天井構造部の天井板に当たることがあっても、上記軽量天井板２３が変形または破損するので、上記天井板１３を破損させにくい利点が得られる。上記軽量天井板２３として、バルサ材などの軽量材を用いる場合、破損落下による悪影響は、石こうボードなどに比べると相当に小さい。なお、上記軽量天井板２３の変形または破損による衝撃吸収性は、上記天井板１３に比べて高ければよい。
【００２９】
図３は、上記ワイヤー２４の変形によって上記軽量天井板２３を持ち上げることが可能とされ、上記第２天井構造部２の一部が天井裏点検のための点検口部４となるようにした例を示している。点検者は頭部を天井裏に臨ませて目視で天井裏を点検するので、上記軽量天井板２３の可動高さは、頭部が天井裏に入る程度でよい。
【００３０】
図４は、変形吊り部材としてヒンジ状部材２４Ａを用いる構造例を示している。このヒンジ状部材２４Ａは、例えば、上記野縁２２ｂの下面と上記軽量天井板２３の上面にそれぞれ設けられたフックボルトと、上記フックボルトに連結される輪部付きの連結部材とからなる。
【００３１】
図５は、上記第２天井構造部２の配置例を示している。図中、クロスハッチングされた部分が上記第２天井構造部２であり、ハッチングされた部分が上記第１天井構造部１である。この配置例では、壁６の際および柱７の際に上記第２天井構造部２を設けているが、これに限らず、壁６の際および柱７の際のいずれか一方に上記第２天井構造部２が設けられていてもよい。また、天井に空調機が配置されている場合に、この空調機の際にだけ、或いは空調機の際にも上記第２天井構造部２が設けられていてもよい。なお、上記点検口部４となる部分は上記第１天井構造部１の領域内で点在させるようにしてもよい。
【００３２】
また、上記の例では、上記第２天井構造部２における上記変形吊り部材（ワイヤー２４、ヒンジ状部材２４Ａなど）は、上記短吊りボルト２１に支持された野縁受け２２ａおよび野縁２２ｂによって、間接的に上記短吊りボルト２１に支持されたが、かかる構造においては、図６に示すように、上記第１天井構造部１の野縁受け１２ａと、上記第２天井構造部２の野縁受け２２ａを水平面内で互い違いに配置するのがよい。これによれば、地震時などの揺れによって、上記第１天井構造部１の野縁受け１２ａと上記第２天井構造部２の野縁受け２２ａとが衝突するのを防止することができる。なお、上記図６の上下側では、上記野縁受けではなく、上記第１天井構造部１の野縁１２ｂと、上記第２天井構造部２の野縁２２ｂを水平面内で互い違いに配置するのがよい。すなわち、野縁あるいは野縁受けを壁際などで平面的に互い違いに配置し、地震時などの天井の揺れによって配置が切り替わった部位における野縁同士あるいは野縁受け同士の衝突を防止する。
【００３３】
ここで、上記第１天井構造部１の最も端の野縁受け１２ａと、これに最も近い上記第２天井構造部２の野縁２２ｂとが揺れで衝突する可能性がある場合には、上記第２天井構造部２の野縁２２ｂを変形可能に構成するのがよい。これによれば、上記衝突が生じたとしても、上記第１天井構造部１の最も端の野縁受け１２ａの破損を回避し、天井板１３の脱落を防止することができる。上記第２天井構造部２の野縁２２ｂを変形可能にするには、当該野縁２２ｂを他の野縁２２ｂに比べて肉厚が薄くて細い角筒材などで作製すればよい。このような野縁２２ｂで支持される上記軽量天井板２３は発泡スチロールなどの軽量板であるので、特に問題はない。また、上記第２天井構造部２の野縁２２ｂを変形可能に構成する他の例としては、上記野縁２２ｂを分割して互いにヒンジで連結し、水平方向に衝撃を受けたときに上記ヒンジの箇所を変形させる構造が考えられる。
【００３４】
また、上記第２天井構造部２の野縁２２ｂを変形可能に構成するのではなく、当該野縁２２ｂを無くし、上記第２天井構造部２の野縁受け２２ａによって上記ワイヤー２４などを支持するようにしてもよい。或いは、上記第２天井構造部２の野縁２２ｂを全て無くし、上記第２天井構造部２の野縁受け２２ａで直接に上記ワイヤー２４などを支持し、このワイヤー２４などで上記軽量天井板２３を支持するようにしてもよい。
【００３５】
或いは、上記第２天井構造部２の野縁受け２２ａも無くし、上記短吊りボルト２１で直接に上記ワイヤー２４などを支持し、このワイヤー２４などで上記軽量天井板２３を支持するようにしてもよい。上記軽量天井板２３は軽量であるので、天井下地を用いなくても、上記軽量天井板２３を吊ることができる。このように天井下地を不要にできると、部材コストおよび施工コストを低減することができる。このように天井下地を設けない場合、上記ワイヤー２４などを天井スラブなどに埋設されている吊り元（インサートなど）に直接取り付けてもよい。
【００３６】
なお、天井下地を残す場合には、その利点も在る。一般に、天井裏には設備配線・配管、ダクト等が縦横に設置されるため、壁際等の近傍に天井下地が存在しない場合、特に軽量天井板２３の形状を大きく取りたい場合において、当該天井下地の無い部位での設備配線・配管等の設置に支障をきたすおそれがある。上記天井下地を残す場合には、上記のような不都合を回避することも可能である。
【００３７】
また、図７に示すように、上記第１天井構造部１の上記天井板１３の縁と、上記第２天井構造部２の上記軽量天井板２３の縁同士を、断面Ｈ型の連結部品２７によって連結するようにしてもよい。上記連結部品２７は樹脂材や木質材により作製できることができる。上記連結部品２７により、上記天井板１３の上記軽量天井板２３の境界部を目立たなくして天井の意匠性を高めることができる。
【００３８】
また、この実施形態の天井改修方法は、図８（Ａ）に示すように、例えば、天井の全体が上記第１天井構造部１により構成されている天井構造に適用することができ、非壁際において上記第１天井構造部１を残す一方、壁６の際を上記第２天井構造部２とする。壁６の際を上記第２天井構造部２とするには、壁６の際の天井板１３および天井下地１２を取外し、吊りボルト１１の下端側を切断して短くする。なお、図８（Ａ）では、上記第１天井構造部１と上記第２天井構造部２と間で、上記天井下地１２と天井下地２２とが既に分断されているように示したが、このような分断がなくて天井下地が壁際まで一体的に延びている場合、上記のような分断がなされるように、上記天井下地も切断する。
【００３９】
そして、図８（Ｂ）に示すように、上記天井板１３よりも単位面積当たりの質量が軽くされた上記軽量天井板２３を、上記短くされてなる短吊りボルト２１に直接的または間接的に支持させた変形可能な変形吊り部材（上記ワイヤー２４など）によって吊る。
【００４０】
上記の天井改修方法であれば、既存の吊りボルト１１を利用するので、新たに短吊り部材を天井スラブに取り付ける作業が不要になり、地震対策が採られた天井構造とする改修が安価に行える。また、元々は壁回りの天井板との間にクリアランスが無かったような場合でも、この改修において容易にクリアランスを設けることができる。
【００４１】
また、上記短吊りボルト２１に、元の天井下地１２を取り付け、この天井下地１２に間接的に上記変形吊り部材を取り付けるようにすると、元の天井下地１２を利用するので、さらに改修が安価に行える。
【００４２】
上記の例では、既存の吊りボルト１１を切断して短くしたが、これに限らず、既存の吊りボルト１１よりも短い短吊りボルトを用意し、この短吊りボルトと既存の吊りボルト１１とを交換するようにしてもよい。このような方法でも、天井スラブなどに埋設されたインサートなどの利用が可能であるので、地震対策が採られた天井構造とする改修が安価に行える。
【００４３】
或いは、上記第２天井構造部２において、既存の吊りボルト１１を取外して天井に直接に変形可能な変形吊り部材（ワイヤー２４など）を取り付け、上記軽量天井板２３を、上記変形吊り部材によって吊るすようにしてもよい。このような天井改修方法であれば、天井スラブなどに埋設されたインサートなどを利用して上記変形吊り部材を取り付けることが可能であるので、地震対策が採られた天井構造とする改修が安価に行える。
【００４４】
また、上記の例では、吊り部材や短吊り部材として吊りボルトを示したが、これに限らない。また、天井下地にはハンガーなどの金具も含まれる。また、変形吊り部材を天井に直接に取り付けることには、上記インサートの他、あと施工アンカーなどに上記変形吊り部材を取り付けることも含まれる。
【００４５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４６】
１        第１天井構造部
１１      吊りボルト（吊り部材）
１２      天井下地
１２ａ    野縁受け
１２ｂ    野縁
１３      天井板
２        第２天井構造部
２１      吊りボルト（吊り部材）
２２      天井下地
２２ａ    野縁受け
２２ｂ    野縁
２３      軽量天井板
２４      ワイヤー（変形吊り部材）
２４Ａ    ヒンジ状部材（変形吊り部材）
２７      連結部品
４        点検口部
６        壁
７        柱
【図１】
0006462342.tif 000002
【図２】
0006462342.tif 000003
【図３】
0006462342.tif 000004
【図４】
0006462342.tif 000005
【図５】
0006462342.tif 000006
【図６】
0006462342.tif 000007
【図７】
0006462342.tif 000008
【図８】
0006462342.tif 000009